(57)【要約】【課題】複数の石英電熱管を集結した、構造が堅固で、安全性の高い石英電熱管モジュールの提供。【解決手段】両端部に電極がある通常の石英電熱管に２つのカバーを施して保護する他、電極をこれらカバーに設けた電極片と電気的に接触し、石英電熱管の端部をカップリングで連結して、複数の管体を直列、または並列に集結した石英電熱管モジュールを提供した。【選択図】図３
0003117735.tif 000002
【実用新案登録請求の範囲】
【請求項１】
表面上に１層の電熱膜を蒸着し、その両端部には各々１つの電極を設け、前記両端部の電極間の通電により加熱される石英電熱管において、
前記石英電熱管の表面は、第１カバーと第２カバーにて被覆されており、前記第１カバー上に設けられた第１電極片の一端は前記第１カバー外に突出し、他端は金属の板ばねで前記石英電熱管の１つの電極とブリッジ状に電気的に接触し、また、前記第２カバー上にも第２電極片が設けられており、その一端も前記第２カバー外に突出し、他端にも金属の板ばねが設けられていて、前記石英電熱管の他の１つの電極とブリッジ状に電気的に接触していて、前記石英電熱管は前記第１カバーと第２カバーとで衝撃による破損から保護され、また、前記石英電熱管はその端部をカップリングにより、複数の前記石英電熱管を集結してモジュール化することを特徴とする石英電熱管モジュール。
【請求項２】
前記カップリングは、直状であることを特徴とする、請求項１に記載の石英電熱管モジュール。
【請求項３】
前記カップリングは、Ｌ状であることを特徴とする、請求項１に記載の石英電熱管モジュール。
【請求項４】
前記第１カバーと前記第２カバーはボルトにより、前記石英電熱管の表面に締付けられていることを特徴とする、請求項１に記載の石英電熱管モジュール。
【請求項５】
前記第１電極片には１つの過熱保護器が取り付けられていて、前記石英電熱管の温度が高すぎた（過熱した）場合、前記石英電熱管の電源を遮断することを特徴とする、請求項１に記載の石英電熱管モジュール。
【考案の詳細な説明】
【技術分野】
【０００１】
本考案は石英電熱管モジュールに関するもので、さらに詳しく云えば、複数の石英電熱管を結合してモジュール化した、構造が堅固で、安全性の試練に対処し得る、石英電熱管モジュールに関するものである。
【背景技術】
【０００２】
周知のように、従来の電熱器（例えば飲水器）の加熱装置においては、電熱器のウォーターパイプに１本、または数本の石英電熱管を取り付けて、パイプ内に流れる水を加熱し、その温度を上げるのである。
【０００３】
但し、従来の石英加熱管はガラス製であるため破損し易く、構造上安全とは云い難く、機械の安全試練にも対処しにくい。また、ガラス製であるためその表面は滑ベり易く、複数の管体を集結してモジュール化することにも難点があった。
【考案の開示】
【考案が解決しようとする課題】
【０００４】
以上の事情に鑑み、このような欠点を改善せんがため、本願の考案者は多年当業に従事している経験に基づき、長期に渡る苦心研鑽の結果、遂に本願に係る石英電熱管モジュールの開発の成功を見るに至った。
【０００５】
本考案は複数の石英電熱管を集結してモジュール化した、構造が堅固で、安全性の試練に対処し得る、石英電熱管モジュールの提供を目的とする。
【課題を解決するための手段】
【０００６】
上記の目的を達成するため本考案では、表面上に１層の電熱膜を蒸着し、その両端部には各々１つの電極を設け、両端部の電極間の通電により加熱される石英電熱管において、その表面を第１カバーと第２カバーにて被覆し、第１カバー上に設けられた第１電極片の一端は第１カバー外に突出し、他端は金属の板ばねで石英電熱管の１つの電極とブリッジ状に電気的に接触し、第２カバー上にも第２電極片が設けられており、その一端も第２カバー外に突出し、他端にも金属の板ばねが設けられていて、石英電熱管の他の１つの電極とブリッジ状に電気的に接触していて、かつ、石英電熱管は第１カバーと第２カバーとで衝撃による破損から保護され、その端部をカップリングによって複数の管体を直列、または並列に集結して、モジュール化された石英電熱管モジュールを提供する。
【考案の効果】
【０００７】
以上及び以下の説明で分るように、本考案に係る製品は複数の管体を結合してモジュール化された石英電熱管モジュールであって、その構造は堅固で、如何なる安全上の試練にも耐え得る、従来品の及ばない独創性に富むものである。
【考案を実施するための最良の形態】
【０００８】
本考案による石英電熱管モジュールのその他の特徴、優点や運用に関しては、明細書に添付した図面を参照しながら、以下、順を追って説明する実施例の内容を御覽になっていただきたい。
【０００９】
本考案に係る石英電熱管モジュールは、図１から図４に示されるように、その単体である石英電熱管１０の表面上には、一層の電熱膜が蒸着されており、電熱膜の両端部には、それぞれ電極１１と電極１３が設けられていて、両電極１１、１３間に通電して石英電熱管１０が加熱されるのである。
【００１０】
石英電熱管１０の表面は、第１カバー１５と第２カバー１６とで被覆されていて、第１カバー１５に設けられた第１電極片１７の一端は第１カバー１５外に突出し、他端は金属の板ばね１８で石英金属管１０の電極１１とブリッジ状に電気的に接触している。第２カバー１６上にも第２電極片１９が設けられていて、その一端も第２カバー１６外に突出し、他端にも金属の板ばね２１が設けられていて、石英電熱管１０のもう１つの電極１３とブリッジ状に電気的に接触している。
【００１１】
上述のような構成で、石英電熱管１０をその被覆体である第１カバー１５と第２カバー１６とで、衝撃による破損が起らないよう保護するのである。また、カップリング３１を石英電熱管１０の端部に取り付け、複数の管体を直列、または並列にしっかり結合してモジュール化された石英電熱管モジュールを構成する。この石英電熱管モジュールは構造が堅固で、如何なる安全性の試練にも耐え得るものである。
【００１２】
図３の石英電熱管１０のカップリング３１は直状でもＬ状でもよく、至極便利に石英電熱管１０の複数の管体１０を直列、或いは並列に連結して、これをモジュール化することができる。
【００１３】
図４の石英電熱管１０の第１カバー１５と第２カバー１６とは、ボルト４１で石英電熱管１０に締付けられている。
【００１４】
さらに図４に示すように、石英電熱管１０の両端部には、それぞれボルト４３で保護端蓋４２が取り付けられている。
【００１５】
さらに図１と図４に示すように、第１電極片１７には１つの過熱保護器４４が取り付けられていて、石英電熱管１０の温度が高すぎた（過熱した）場合、石英電熱管１０の電源を遮断するのである。
【００１６】
以上を総合すると本考案は、形態において確かに創意性があるのみならず、従来の製品に比ベ上述の幾多の機能を追加でき、新規性及び進歩性の法定実用新案登録請求の要件に十分合致するものと考えられる。
【００１７】
上記の詳細な説明は、本考案の実行可能な実施例についての具体的な説明である。但し、この実施例は本考案の実用新案登録請求の範囲を制限するものではなく、凡そ本考案の技術精神を逸脱せずなされた同等効果の実施または変更は、全て本考案の実用新案登録請求の範囲内に含まれるものとする。
【図面の簡単な説明】
【００１８】
【図１】本考案に係る石英電熱管の断面図である。
【図２】本考案に係る石英電熱管の立体外観図である。
【図３】本考案に係る石英電熱管モジュールの組立図である。
【図４】本考案に係る石英電熱管の分解図である。
【符号の説明】
【００１９】
１０  石英電熱管 
１１  電極   
１３  電極      
１５  第１カバー 
１６  第２カバー 
１７  第１電極片
１８  金属製板ばね  
１９  第２電極片 
２１  金属製板ばね    
３１  カップリング 
４１  ボルト 
４２  保護端蓋
４３  ボルト 
４４  過熱保護器
【図１】
0003117735.tif 000003
【図２】
0003117735.tif 000004
【図３】
0003117735.tif 000005
【図４】
0003117735.tif 000006